(57)【要約】【課題】  花粉やアスベスト等の粉塵が目や鼻に付着することを確実に防止し、さらにこれらの粉塵が呼吸器に流入することがない粉塵防護具を提供する。【解決手段】  人Ｕの顔面の前方に配置し、少なくとも目Ｅと鼻Ｎを覆う透明のカバー材３を有し、当該カバー材３で目Ｅと鼻Ｎを覆った状態で、前記カバー材３で覆われた空間７にフィルタ８を通過した清浄空気を流入して充満させるための送気手段４が備わる。したがって、粉塵雰囲気中でも、目Ｅや鼻Ｎを粉塵から保護しつつ、さらに粉塵を人Ｕが吸い込むことを防止して、呼吸器も保護し、粉塵から人体を防護することができる。【選択図】        図１
0003136595.tif 000002
【実用新案登録請求の範囲】
【請求項１】
人の顔面の前方に配置し、少なくとも目と鼻を覆う透明のカバー材を有し、
当該カバー材で目と鼻を覆った状態で、前記カバー材で覆われた空間にフィルタを通過した清浄空気を流入して充満させるための送気手段が備わることを特徴とする粉塵防護具。
【請求項２】
前記送気手段は、フィルタを備えたエアポンプであることを特徴とする請求項１に記載の粉塵防護具。
【請求項３】
前記カバー材は、人の頭部に被せるための帽子又はヘルメットに対して回動可能に取り付けられることを特徴とする請求項１又は２に記載の粉塵防護具。
【請求項４】
前記カバー材の周縁には、軟質樹脂製の枠体が備わり、当該枠体に連結されたベルトにより頭部に固定されることを特徴とする請求項１又は２に記載の粉塵防護具。
【考案の詳細な説明】
【技術分野】
【０００１】
この考案は、アスベストや杉花粉等の微粉塵から呼吸器を保護するための粉塵防護具に関するものである。
【背景技術】
【０００２】
アスベストやスギ花粉等、微粉塵の呼吸器への影響が懸念されている。したがって、これらの粉塵が、人体の呼吸器に入らないようにすることが求められている。一方で、花粉等を遮蔽するための花粉等遮蔽具が特許文献１に開示されている。この花粉等遮蔽具は、目、鼻、口の直前にエアカーテンを形成して、周囲の大気中の花粉等の侵入を防止するものである。
【０００３】
【特許文献１】実用新案登録第３１１０４９６号公報
【考案の開示】
【考案が解決しようとする課題】
【０００４】
しかしながら、特許文献１の花粉等遮蔽具は、顔前に浮遊する粉塵等をある程度遮断することができるが、呼吸器に対する粉塵からの防護対策については考慮されていない。すなわち、人は必ず呼吸するため、この呼吸の際、周りの空気を吸い込むことになる。粉塵等の雰囲気中では、人はこの粉塵を吸い込むことになり、呼吸器への影響が問題となる。
【０００５】
この考案は上記従来技術を考慮したものであって、花粉やアスベスト等の粉塵が目や鼻に付着することを確実に防止し、さらにこれらの粉塵が呼吸器に流入することがない粉塵防護具の提供を目的とするものである。
【課題を解決するための手段】
【０００６】
前記目的を達成するため、請求項１の考案では、人の顔面の前方に配置し、少なくとも目と鼻を覆う透明のカバー材を有し、当該カバー材で目と鼻を覆った状態で、前記カバー材で覆われた空間にフィルタを通過した清浄空気を流入して充満させるための送気手段が備わることを特徴とする粉塵防護具を提供する。
【０００７】
また、請求項２の考案では、前記送気手段は、フィルタを備えたエアポンプであることを特徴としている。
【０００８】
また、請求項３の考案では、前記カバー材は、人の頭部に被せるための帽子又はヘルメットに対して回動可能に取り付けられることを特徴としている。
【０００９】
また、請求項４の考案では、前記カバー材の周縁には、軟質樹脂製の枠体が備わり、当該枠体に連結されたベルトにより頭部に固定されることを特徴としている。
【考案の効果】
【００１０】
請求項１の考案によれば、顔面の前方に配置された少なくとも目と鼻を覆う透明のカバー材により、粉塵が遮蔽され、目や鼻に粉塵が付着することを確実に防止できる。さらに、鼻がカバー材で覆われ、この覆われた空間にフィルタを通過した清浄空気が流入するので、鼻腔近傍には清浄空気が充満する。このため、人はこの清浄空気を吸入して呼吸する。また、カバー材で覆われた空間内には常に清浄空気が供給されるので、外気がこの空間内に流入することはない。したがって、粉塵雰囲気中でも、目や鼻を粉塵から保護しつつ、さらに粉塵を人が吸い込むことを防止して、呼吸器も保護し、粉塵から人体を防護することができる。なお、カバー材を口も覆う構成とすれば、さらに口からの粉塵の流入も防ぐことができる。
【００１１】
請求項２の考案によれば、エアポンプにフィルタが備わるため、当該エアポンプを用いることで確実に清浄空気をエアポンプから排出し、これをカバー材で覆われた空間に供給することができる。したがって、エアポンプとフィルタを別々に設けることに比べ、部品点数が減少し、持ち運び性が向上する。
【００１２】
請求項３の考案によれば、カバー材が、帽子又はヘルメットに対して回動可能に取り付けられるため、安定してカバー材を支持することができるとともに、容易にカバー材を回動して移動させることができるので、取り扱い性が向上する。粉塵雰囲気中以外の場所では、カバー材を上げて、通常の帽子やヘルメットとして使用することができる。
【００１３】
請求項４の考案によれば、カバー材の周縁に軟質樹脂製の枠体が備わり、この枠体にベルトが連結される。したがって、ベルトを頭部に巻くだけで確実にカバー材を頭部に固定することができる。また、枠体が軟質樹脂製なので、顔面に当接しても不快感を覚えることはない。カバー材で覆われた空間に供給された清浄空気は、顔面の凹凸による枠体との隙間から排出される。
【考案を実施するための最良の形態】
【００１４】
この考案は、人の顔面の前方に配置し、少なくとも目と鼻を覆う透明のカバー材を有し、当該カバー材で目と鼻を覆った状態で、前記カバー材で覆われた空間にフィルタを通過した清浄空気を流入するための送気手段が備え、粉塵から人体を防護することができる粉塵防護具である。
【実施例１】
【００１５】
図１はこの考案に係る粉塵防護具の使用状態を示す概略側面図である。
【００１６】
粉塵防護具１は、帽子２と透明又は半透明のカバー材３及びポンプ４で構成される。カバー材３は、帽子２に対して軸部材５により安定かつ確実に支持され、軸部材５を支点として回動可能に取り付けられる。周囲に粉塵がない場合は、図１の（Ａ）に示すように、カバー材３を上げた状態で通常の帽子として使用可能である。このとき、カバー材３の先端（下端）部分が帽子の鍔となり、紫外線防止や日よけの作用も奏する。粉塵雰囲気中では、使用者Ｕはカバー材３を下方に回動させて（矢印Ｃ方向）、図１の（Ｂ）に示すように、粉塵から目Ｅや鼻Ｎを防護する。このように、簡単かつ容易な操作で粉塵からの防護対策を図ることができる。なお、帽子２は、使用者Ｕが頭に被るものであればその形状、材質は限定されず、ヘルメットのような硬質のものでもよい。
【００１７】
エアポンプたるポンプ４には、チューブ６が接続され、このチューブ６が帽子２内を通ってカバー内空間７と連通する。このポンプ４は、外気を吸い込んでチューブ６内に送気するものである。ポンプ４内には、フィルタ８が内装される。したがって、ポンプ４が外気から取り入れた空気は、フィルタ８を通過して清浄空気となり、カバー内空間７に供給される。このフィルタ８は、ポンプ４と別体に備えてもよい。フィルタ８をポンプ４に内装すれば、部品点数が減少し、持ち運び性が向上する点で好ましい。また、ポンプ４は、図示したような帽子２の頂部に一体として備えてもよいし、別の場所（例えば帽子の中）に一体として、あるいは別体として設けてもよい。帽子２と一体に備える場合は、小型のダイヤフラムポンプが軽量であるため、使用者の負担にならず、好ましい。ポンプ４が電池式であればさらに取り扱い性が向上し、好ましい。また、ポンプ４にインジケータを設けて清浄空気の流量を調整できるようにしてもよい。なお、チューブ６はカバー内空間７に連通すれば、帽子２の外側を通してもよい。
【００１８】
粉塵雰囲気中では、使用者Ｕは、上述したように、カバー材３を回動させて顔の前に配置する。カバー材３は透明であるため、視認性が妨げられることはない。カバー材３の材質としては、例えば、透明の硬質樹脂が考えられる。カバー材３は、少なくとも使用者Ｕの目Ｅと鼻Ｎを覆う大きさに形成されるので、カバー材３を下げることにより、アスベストや花粉等の粉塵を遮蔽して、目Ｅや鼻Ｎに付着することを防止できる。
【００１９】
さらに、使用者Ｕはポンプ４を作動させることにより、カバー内空間７に清浄空気を供給し、カバー内空間７を清浄空気で充満させることができる。このため、使用者Ｕの鼻Ｎ近傍には、清浄空気が充満することになり、使用者Ｕはこれを吸入して呼吸する。したがって、粉塵雰囲気中でも粉塵を吸い込むことはない。
【００２０】
カバー内空間７に供給された清浄空気は、（Ｂ）に示すような矢印に沿って移動し、カバー材３の外側に排出される。このように、カバー内空間７は清浄空気による空気流が形成されるので、外気がカバー内空間７に流入することはない。したがって、使用者Ｕは確実に清浄空気を吸入して呼吸をすることができ、粉塵から呼吸器を確実に防護することができる。カバー材３を、口Ｍまで覆う大きさに形成すれば、さらに確実に呼吸器を粉塵から防護できる。
【実施例２】
【００２１】
図２はこの考案に係る別の粉塵防護具の使用状態を示す概略側面図である。
【００２２】
粉塵防護具１は、透明又は半透明のカバー材３と、枠体９及びポンプ４で構成される。カバー材３の周縁は枠体９で覆われる。この枠体９は、軟質樹脂製である。枠体９にはベルト１０が連結され、このベルト１０により粉塵防護具１が使用者Ｕの頭部に装着される。ベルト１０は長さ調整可能な布製又はゴム製であるため、これを調整することにより、枠体９を顔面にほぼ密着させることができる。上述したように、枠体９は軟質樹脂製であるため、顔面に密着させても不快感を覚えることはない。ポンプ４に接続されたチューブ６は、ベルト１０に沿って枠体９からカバー内空間７内に連通する。ポンプ４は、ベルト１０に取り付けてもよいし、別に携帯するようにしてもよい。
【００２３】
周囲に粉塵がない場合には、図２の（Ａ）に示すように、使用者Ｕはベルト１０を頭部に巻いて、枠体９とともにカバー材３を前頭部に引っ掛けるようにして粉塵防護具１を頭部に装着する。あるいは、頭から外して別の場所に保持してもよい。粉塵雰囲気中では、カバー材３を下げ（矢印Ｄ方向）、ベルト１０を耳ｅに引っ掛けて枠体９を顔面にほぼ密着させる。これにより、目Ｅと鼻Ｎがカバー材３で覆われる。また、フィルタ８を備えたポンプ４から清浄空気がカバー内空間７に供給される。清浄空気は、図２の（Ｂ）の矢印で示すように、枠体９と顔面の凹凸とのわずかな隙間から外部に排出される。このような構成によっても、使用者Ｕの目Ｅや鼻Ｎを粉塵から防護することができる。その他の構成、作用、効果及び応用は実施例１と同様である。
【図面の簡単な説明】
【００２４】
【図１】この考案に係る粉塵防護具の使用状態を示す概略側面図である。
【図２】この考案に係る別の粉塵防護具の使用状態を示す概略側面図である。
【符号の説明】
【００２５】
１：粉塵防護具、２：帽子、３：カバー材、４：ポンプ、５：軸部材、６：チューブ、７：カバー内空間、８：フィルタ、９：枠体、１０：ベルト、Ｕ：使用者、Ｅ：目、Ｎ：鼻、Ｍ：口、ｅ：耳
【図１】
0003136595.tif 000003
【図２】
0003136595.tif 000004